(57)【要約】【課題】調査・報告など記録文書を作成するに当り、記録内容の改ざんを防止することを可能とする。【解決手段】感圧センサー上の載置部に記録するための紙媒体を載置し、筆記具（ボールペン、シャープペンシル等）にて記録することにより、物理的な紙媒体記録と同一内容を包含するデジタル記録とを取得する。  デジタル記録は感圧センサーにより一筆ごとの筆跡ポイント（ＸＹ座標値・筆圧値を含む）を時系列的に取り込んだものである。筆跡ポイントの取得と同期サイクルでＧＰＳから受信した時刻情報と位置情報をＧＰＳ情報として筆跡ポイントに添付し筆跡記録情報を生成する。筆跡記録情報をデータベース化し、随時時刻情報、位置情報及び筆跡画像をキーにして検索する。紙媒体記録とデジタル記録とは相互補完関係をもたせ改ざんの検出と説明を容易に行なわしむ。【効果】多くの情報が満溢している社会にあって、安心・信頼できる真実の情報を流通させ得る。【選択図】図１
2016071831.tif 000002
【特許請求の範囲】
【請求項１】
記録者の手書き筆圧を感知し筆跡情報として出力する感圧センサーボードと、前記感圧センサーボード上に載置された紙媒体に筆記具により手書きされた文字や図形の一筆単位の複数の筆跡情報と、ＧＰＳ（ＧＮＳＳの一種、総称して使用）からの電波を受信するＧＰＳ受信手段と、
受信した時刻情報及び位置情報を一定の時間サイクル単位に前記筆跡情報と合成記録する記憶手段と、
前記合成記録を生成処理し筆跡記録情報及び筆跡画像情報を作成する処理手段と、
前記筆跡記録情報及び前記筆跡画像情報を記憶する記憶手段と、
記憶された前記筆跡記録情報及び前記筆跡画像情報を出力する出力手段と、
を具備する情報記録装置。
【請求項２】
前記筆跡記録情報及び前記筆跡画像情報は、前記紙媒体１枚分を１単位（１頁）として処理し、手書き開始時間順に記憶装置に記録し前記時刻情報を基準に０時から２４時までを１日分として記録順に頁番号を管理付与する、
ことを特徴とする請求項１に記載の情報記録装置。
【請求項３】
前記出力手段は、前記筆跡記録情報及び前記筆跡画像情報を外部機器に無線送信する送信手段を有していることを特徴とする請求項１に記載の情報記録装置。
【請求項４】
前記ＧＰＳ受信手段は、衛星電波受信アンテナと周波数変換器から構成されるＧＰＳ受信器と無線ＬＡＮ（Ｗｉ−Ｆｉなど）を組み合わせることにより受信精度を向上させることを特徴とする請求項１に記載の情報記録装置。
【請求項５】
前記ＧＰＳ受信手段により、衛星電波受信状態を常時表示する受信シグナル（受信可−青、受信不可−赤）を具備することを特徴とする請求項１に記載の情報記録装置。
【請求項６】
記録者が前記情報記録装置を手動で始動又は終了させるための電源スイッチが備えられており、該電源スイッチをＯＦＦに押下するか載置されている紙媒体を徐去した時点で前記筆跡記録情報及び前記筆跡画像情報の取得は終了となり、続けて新しい紙媒体を載置部に載置することにより紙媒体載置センサーが働き自動的に電源スイッチＯＮの状態になる。また紙媒体を載置したまま電源スイッチをＯＦＦに押下した場合は、情報の取得は中断状態にあり、電源スイッチを再びＯＮに押下すれば中断解除となり情報取得が再開される、
ことを特徴とする請求項１に記載の情報記録装置。
【請求項７】
請求項６に記載の前記電源スイッチをＯＦＦに押下せずに放置した場合、前記筆跡記録情報の最終時刻情報から所定の時間が経過すれば自動的にＯＦＦ状態に入り情報の取得は中断する。再び電源スイッチをＯＮに押下することにより中断前に戻り連続的に情報取得が可能となる、
ことを特徴とする請求項１に記載の情報記録装置。
【請求項８】
前記情報記録装置から取得した前記筆跡記録情報及び前記筆跡画像情報を外部機器である複数のパーソナルコンピュータ（ＰＣ）またはサーバーにて無線受信し、筆跡デジタル記録情報データベース及び筆跡画像情報データベースを構築する。さらに逐次発生する情報の蓄積・保存を繰り返し継続すると共に２種類のデータベースはＧＰＳ時刻情報の年月日と頁番号を共通キーにして相互に関連をもたせユーザーニーズに対応する、
ことを特徴とする筆跡情報処理。
【請求項９】
前記パーソナルコンピュータ又は前記サーバーを使用して、前記筆跡画像情報データベースに対し、前記情報記録装置により取得した検索キー画像をパターン認識手法を使用して照合処理することにより検索対象となる筆跡画像情報を頁単位に抽出する、
ことを特徴とする筆跡情報処理。
【請求項１０】
請求項９に記載の抽出された頁単位の筆跡画像情報を前記パーソナルコンピュータのディスプレイ上に表示し、心要な筆跡画像部分を切り出し、他の同様に切り出された複数の筆跡画像と編集合成して新しい筆跡画像情報を生成する、
ことを特徴とする筆跡情報処理。
【請求項１１】
前記情報記録装置には、使用方法として手書きモードとテキストモードの２種類があり、手書き筆跡画像を取り扱う場合は手書きモードにセットし、テキストコード文字を取り扱う場合はテキストモードにセットする。テキストコード文字を入力する場合は、文字マップシートを載置部に載置して筆記具で入力したい文字のエリア内をタッチすることにより対象の文字が得られディスプレイで確認できることを特徴とする請求項１の情報記録装置。
【請求項１２】
請求項１１に記載のテキストコード文字入力方法により、無線送信したい相手先のメールアドレスを事前登録しておく。手書き筆跡画像の形式でメール内容を用意しアドレス番号を選択して相手先に送信する
ことを特徴とする筆跡情報処理。
【請求項１３】
前記情報記録装置の載置部上に予め印刷された紙媒体を載置し意味付された枠内に書き込みをする場合、該紙媒体を識別するための記番号を設定し、外部機器である前記パーソナルコンピュータに識別記番号と対応する記入枠を含む印刷内容を背景図として用意する。記録者が印刷された紙媒体を使用する際は事前に識別記番号を登録しておき書き込み時に該当する識別記番号を選択しディスプレイにセットする。これにより識別記番号と筆跡記録情報とがひも付状態で前記パーソナルコンピュータに送信され所定の印刷枠にはまった筆跡画像情報が取得できる、
ことを特徴とする筆跡情報処理。
【発明の詳細な説明】
【技術分野】
【０００１】本発明は、正確な記録日時・場所・記録者を特定できる情報記録装置及び筆跡情報処理に関するものである。
【背景技術】
【０００２】従来の手書きによる情報入力装置は筆跡画像を取得することが中心的な機能とされている装置が多いが、近年は筆跡画像以外にも多様な筆跡情報を取得できる技術が開発されてきている。
【先行技術文献】
【特許文献】
【０００３】
【特許文献１】特開２００８−１０８１６１
【特許文献２】特開２０１３−６５０９２
【非特許文献】
【０００４】
【非特許文献１】トランジスタ技術２００８年２月号古野直樹池田平輔他「ＧＰＳのしくみと応用製作」Ｐ．９９〜１３１
【発明の概要】
【発明が解決しようとする課題】
【０００５】昨今の情報処理技術の進歩に伴い記録文書や報告文書等は主としてキーボード入力によるテキストデータの集合体として生成されている。テキストデータは追加、変更、削除を簡単に跡形もなく処理できる。つまり真実でない情報も真実の情報として存在し流通してるかも知れない。益々進展する情報化社会にあって信頼できる真実の情報を生成し流通させることが重要である。
【課題を解決するための手段】
【０００６】テキストデータをベースとして対処するには適切な手段がない。そこで、古い手法であるが紙媒体に筆記具で記録することにより記録原本を取得する方式を採用する。しかしこの記録原本だけでは書き換えや紛失のリスクが伴うため本発明につながった。【０００７】本発明は、感圧センサー上の載置部に記録するための紙媒体を載置し、筆記具（ボールペン、シャープペンシルなど）にて記録することにより、物理的な紙媒体記録と同一内容を包含する時間サイクル基準のデジタル記録が取得できる。【０００８】デジタル記録は、感圧センサーからの一筆ごとの筆跡ポイント（座標値・筆圧値を含む）を時系列的に取り込むことにより筆跡情報となる。【０００９】同期サイクルでＧＰＳから受信した時刻情報及び位置情報をＧＰＳ情報として筆跡情報に添付する。【００１０】筆跡情報とＧＰＳ情報を一体化して筆跡記録情報としてデータベース化し、随時時刻情報、位置情報及び筆跡画像をキーにして検索することにより「いつ」「どこで」「だれが」この記録文書を作成したかを正確に再現することができる。
【発明の効果】
【００１１】多くの情報が満溢している社会にあって、安心して信頼できる真実の情報を少しでも多く流通させ得ることにより情報の浄化に役立つ。
【図面の簡単な説明】
【００１２】
【図１】情報記録装置の全体を説明する図である。
【図２】情報記録装置と外部機器との連携を表わす図である。
【図３】情報記録装置の機能ブロック図である。
【図４】情報記録装置上で手書きされた筆跡の詳細を表わす図である。
【図５】情報記録装置により取得された筆跡「ア」の時間サイクル別詳細情報を表わす図である。
【図６】記録開始から筆跡記録情報を生成するまでの過程を表わすフローチャート図である。
【図７】筆跡画像のパターン認識処理を表わすフローチャート図である。
【発明を実施するための形態】
【００１３】以下、本発明の一実施形態を図面を参照しつつ説明する。
【００１４】図１に示すように、情報記録装置１は、通常の筆記具（ボールペン、シャープペンシル等）２を使用して感圧センサーボード３上の載置部４に載置した紙媒体５０に記録すれば、その筆圧を感知する機能を備えている。
【００１５】情報記録装置１は、平面視で上下方向に長い薄型の直方体状の形状を備えている。
【００１６】上方部中程には載置された紙媒体５０をバネの開閉で固定化するクリップ５を備えている。
【００１７】クリップ５の左内側には紙媒体５０の有無を検知する紙媒体載置センサー６が備えられ常時一定の領域を走査する仕組を持っている。
【００１８】情報記録装置１の右側上部に電源スイッチ７があり、記録者が記録を開始するときに押下すれば電源ＯＮ（青色）の状態になり、記録を終了または中断する時にはもう一度押下すればＯＦＦ（赤色）状態になる。
【００１９】また、紙媒体載置センサー６が新しい紙媒体５０の載置を検知した時は自動的に電源スイッチ７はＯＮ状態になり、逆に紙媒体載置センサー６が載置されていた紙媒体５０の徐去を検知した時は電源スイッチ７は自動的にＯＦＦ状態になる。
【００２０】電源スイッチ７の下部に出力送信ボタン８があり、記憶装置１０２に保存されている記録情報を頁単位に外部機器（パーソナルコンピュータ７０２、サーバー７０３、スマートホン７０４など）に無線送信する機能を有している。
【００２１】出力送信ボタン８の左側にモード切り替えボタン２０があり押下するごとに手書きモードとテキストモードに交互に切り変わる。通常は手書きモードに設定しておく。
【００２２】モード切り替えボタン２０の附近にディスプレイ３０とディスプレイ表示項目選択ボタン３１、選択決定ボタン３２及びディスプレイ表示スクロールノブ（回転式）とがある。ディスプレイ３０はテキストコード文字３０字×３行分が表示される容量。
【００２３】情報記録装置１の左最上部には、受信シグナル２１０があり、ＧＰＳ衛星７０１からの電波の受信状態を表示している。受信状態が良好であれば青色が不可であれば赤色が点灯する。
【００２４】情報記録装置１の平面面積で上部約１５％が機構部で電子基盤とバッテリーなどが収納されている。下部約８５％が感圧センサーボード３（載置部４とほぼ同じ面積）となっている。
【００２５】感圧センサーボード３は、載置部４の上に紙媒体５０を載置し、筆記具２により記録をした場合、筆圧を感知し、ＸＹ座標値と筆圧値を取得するものである。ここで採用している感圧方式は公知の技術である抵抗膜センサーによる原理を応用し、特に有機導電膜の技術を参考にしている。（特開２００８−１０８１６１）
【００２６】図２は、情報記録装置１と外部機器であるＧＰＳ衛星７０１、パーソナルコンピュータ（ＰＣ）７０２、サーバー７０３及びスマートホン７０４を初めとする携帯用電子機器との連携を示す図である。
【００２７】情報記録装置１は、ＧＰＳ衛星から送られてくるＧＰＳ電波をＧＰＳ受信器２００で受信し時刻情報及び位置情報を取得する。
【００２８】ＧＰＳ電波は、受信地域の環境により受信内容の精度がよくない場合があり、この受信精度を向上させるため無線ＬＡＮの一種であるＷｉＦｉと組み合わせる。
【００２９】ＧＰＳ電波を受信するアンテナ機能と計算処理する回路と一体化したモジュール（ＧＮＳＳ受信モジュール、ＧＮ８７Ｆ古野電気製など）を使うことにより、高効率化、高性能化を実現できる。
【００３０】ＧＰＳ受信器２００から取得した時刻情報と位置情報は感圧センサーボード３から取得した筆跡情報と共に処理装置１００において時間サイクルを同期化して筆跡記録情報と筆跡画像情報を生成する。
【００３１】筆跡記録情報と筆跡画像情報は記憶装置１０２に記憶される。
【００３２】これら２種類の情報は、相互に連携を保ちながら頁単位に保存管理されている。
【００３３】記録者は、随時あるいは一定量の情報が蓄積された段階で特定の情報あるいはすべての情報を指定する外部機器（パーソナルコンピュータ７０２、サーバー７０３、スマートホン７０４など）に無線送信する。
【００３４】情報記録装置１から外部機器へ無線送信する事例の一つを説明する。
【００３５】情報記録装置１からスマートホン７０４へ手書きメッセージを送信するケースでは、まず載置部４に紙媒体５０を載置し、筆記具２でメッセージを記録する。ディスプレイ３０には年月日と頁数が表示されている。この年月日と頁数を控えておき、次に手書きモードからテキストモードに切り替え、ディスプレイ表示項目選定ボタン３１を押下し「メールアドレス」を選定する。次に選択決定ボタン３２を押下することによりディスプレイ３０がクリアされメールアドレスの入力待ちの状態となる。載置部４に文字マップシートを載置し筆記具２でメールアドレス文字順に文字マップシート上の印刷文字をタッチすることによりテキスト文字入力が実行されディスプレイ３０に入力されたメールアドレスが表示される。確認後、選択決定ボタン３２を押下することによりアドレスは登録される。次に続いて先程手書きしたメッセージ作成年月日と頁数を文字マップシートを使って入力し、ディスプレイ３０に表示された内容を確認後出力送信ボタン８を押下することによりメッセージはメールアドレス先へ添付ファイルの画像として届く。
【００３６】図３は、情報記録装置１の処理装置を中心に連携する装置との機能関係を表わすものである。
【００３７】ＧＰＳ受信器２００は衛星電波を受信するアンテナを担当するＧＰＳ受信部２０１と受信した電波を計算処理するＧＰＳ処理部２０２とから構成されている。電波の受信状態を常に監視しており状況を受信シグナル２１０に表示する。また計算処理されたＧＰＳ情報は処理装置１００に送る。
【００３８】処理装置１００は、制御回路１０１、記憶装置１０２、処理回路１０３から構成されている。
【００３９】感圧センサーボード３は筆跡情報を制御回路１０１から発振される時間サイクルに合わせて取得し処理装置１００に伝送する。
【００４０】処理装置１００の構成要素はＣＰＵ、ＲＯＭ、ＲＡＭ、Ｉ／Ｏポートなどである。
【００４１】紙媒体載置センサー６、電源スイッチ７、出力送信ボタン８、モード切り替えボタン２０、は制御回路１０１のＩ／Ｏポートを経由して本体の始動、取得情報の出力、稼働終了を指示する装置である。
【００４２】ディスプレイ３０、ディスプレイ表示項目選定ボタン３１、選択決定ボタン３２ディスプレイ表示スクロールノブ（回転式）３３は、本体の稼働状況を確認したり、次の行動を指示する装置である。
【００４３】無線送受信器３００及びＵＳＢポート４００は、外部機器との情報交換に使用する装置である。特に無線送受信器は、自己のメールアドレスを設定しておけば、他の外部機器からのメッセージをテキスト形式でディスプレイ３０に受信表示することができる。
【００４４】図４及び図５により筆跡情報の詳細を説明する。
【００４５】情報記録装置１の載置部４上に紙媒体５０を載置し、筆記具２を用いてカタカナの「ア」を手書きした場合を例に取り上げる。
【００４６】情報記録装置１の載置部４とほぼ同じ範囲に感圧センサーボード３が設置されている。左上隅がＸＹ座標値０．０の原点となっている。
【００４７】感圧センサーボード３上の紙媒体５０に筆記具２の先端が接触し感圧センサーボード３が筆圧を感知した時点から第一筆目の筆跡ポイント情報の取得がスタートする。例で示せばＰ１（Ｐはポイントの略称）であり筆跡が継続している場合は制御回路から発信される時間サイクルごとに筆跡の移動位置をＸＹ座標値で連続的に取得する。筆圧の感知がとだえた時点で第一筆目が終了する。例で示せばＰ１〜Ｐ７である。（図４）
【００４８】続いて第二筆目の筆跡ポイントは、Ｐ８〜Ｐ１１である。「ア」の文字は二筆で完結する。
【００４９】筆跡ポイントにはＸＹ座標値以外に筆跡の状態がＳ＝スタート、Ｃ＝連続、Ｅ＝終了の３段階で表示されている。さらに筆圧のレベルも数値化して付与されている。
【００５０】感圧センサーボード３からは、ＸＹ座標値、筆跡状態及び筆圧レベルの３種類の感圧センサー情報が時間サイクルを基準とした筆跡ポイントごとに取得ができる。
【００５１】一方、ＧＰＳ受信器２００からは、時刻情報と位置情報を取得する。時刻情報は極めて正確ではあるが秒単位となっているため処理装置１００で１００分の１秒単位に変更し情報記録装置１内における時間サイクルとした。位置情報は取得通りに使用する。
【００５２】感圧センサーボード３から取得した筆跡ポイントごとのＸＹ座標値、筆跡状態及び筆圧レベルは総じて感圧センサー情報とし、時刻情報及び位置情報は総じてＧＰＳ情報とする。
【００５３】感圧センサー情報とＧＰＳ情報を時間サイクルを基準として同期化し筆跡ポイント単位に統合生成した情報が図５に示す表でありこの内容の情報が筆跡記録情報である。
【００５４】この筆跡記録情報は情報量が厖大になるため変化のない部分を省略することにより圧縮を行っている。
【００５５】図６は、記録者が記録を開始する段階から筆跡記録情報が生成される過程を示すフローチャート図である。
【００５６】次に、筆跡情報処理に係る別の実施例につき図７により説明する。
【００５７】記録者が過去に情報記録装置１を使用して記録文書を作成したがその文書が見当たらい場合、記録内容の一部が判明しておればその文字や図形を手懸りに対象の文書を見付け出そうとう試みである。
【００５８】ここでは、パターン認識の手法を使って実施しており、検索キー画像の作成に情報記録装置１を使用しているところに特徴がある。
【産業上の利用可能性】
【００５９】この発明は記録文書や報告文書などの存在性と内容の真実性を今までより高めようとするもので、人間社会において特に管理者がこの発明による装置の使用を義務付けることにより、より安心で安全な社会が構築できるものと考える。
【符号の説明】
【００６０】    １  情報記録装置
２  筆記具（ボールペン、シャープペンシルなど）
３  感圧センサーボード
４  載置部
５  クリップ
６  紙媒体載置センサー
７  電源スイッチ
８  出力送信ボタン
２０  モード切替えボタン
３０  ディスプレイ
３１  ディスプレイ表示項目選択ボタン
３２  選択決定ボタン
３３  ディスプレイ表示スクロールノブ（回転式）
１００  処理装置
１０１  制御回路
１０２  記憶装置
１０３  処理回路
２００  ＧＰＳ受信器
２０１  ＧＰＳ受信部（含ＷｉＦｉ）
２０２  ＧＰＳ処理部
２１０  受信シグナル
３００  無線送受信器
４００  ＵＳＢポート
７０１  ＧＰＳ衛星
７０２  パーソナルコンピュータ（ＰＣ）
７０３  サーバー
７０４  スマートホン
【図１】
2016071831.tif 000003
【図２】
2016071831.tif 000004
【図３】
2016071831.tif 000005
【図４】
2016071831.tif 000006
【図５】
2016071831.tif 000007
【図６】
2016071831.tif 000008
【図７】
2016071831.tif 000009